(57)【要約】【課題】血液の流れを促進させうる磁場を利用した血流制御装置及びその方法を提供する。【解決手段】所定の方向に血液が流れうる血管を有する人間のような生命体の疾病を治療するか、健康を増進させるために、血液が流れる方向とベクトル的に磁場の方向が一致するように磁場を発生させる磁場発生手段と、磁場発生手段を生体に固定させるための固定手段とを具備する血流制御装置。これにより、従来の磁場治療方法とは異なって、血流の方向に磁場をベクトル的に印加することによって血液の流れを改善できる。【選択図】図４
2005144189.tif 000002
【特許請求の範囲】
【請求項１】
血液が流れうる血管を有する生体の血流を制御するための装置であって、
前記血液が流れる方向とベクトル的に磁場の方向が一致するように磁場を発生させる磁場発生手段と、
前記磁場発生手段を前記生体に固定させるための固定手段と、を含むことを特徴とする磁場を利用した血流制御装置。
【請求項２】
前記血流の方向は、心臓からの動脈の血流方向であることを特徴とする請求項１に記載の血流制御装置。
【請求項３】
前記磁場発生手段が永久磁石であることを特徴とする請求項１に記載の磁場を利用した血流制御装置。
【請求項４】
前記磁場発生手段が電磁石であることを特徴とする請求項１に記載の磁場を利用した血流制御装置。
【請求項５】
前記磁場発生手段は、２０００ないし３０００ガウスの磁場を発生させることを特徴とする請求項１に記載の血流制御装置。
【請求項６】
前記磁場発生手段は、
固定本体と、
前記固定本体に結合された複数の第１固定部材と、
前記複数の第１固定部材に具備された部分に対応して結合を行える複数の第２固定部材と、
前記固定本体に装着されたＮ極が生体の血管のある方向に対向するように配され、磁場を発生させるように構成された第１磁場発生部材と、
前記固定部材に装着され、Ｓ極が生体の血管のある方向に対向するように配され、磁場を発生させるように構成された第２磁場発生部材と、を含むことを特徴とする請求項１に記載の磁場を利用した血流制御装置。
【請求項７】
前記複数の第１固定部材及び複数の第２固定部材が接着布、ボタンまたは接着テープのうち少なくとも１つよりなることを特徴とする請求項６に記載の磁場を利用した血流制御装置。
【請求項８】
前記磁場発生手段は、
固定本体と、
前記固定本体に結合された複数の第１固定部材と、
前記複数の第１固定部材に具備された部分に対応して結合を行える複数の第２固定部材と、
前記固定本体に装着された複数の磁場発生部材と、を含むが、
磁場の方向を血流の方向と一致させるために、前記複数の磁場発生部材の長手方向が血流方向に対して直角をなすように配置され、これらのそれぞれは、相互に所定の間隔を維持し、固定本体上に配置されていることを特徴とする請求項１に記載の磁場を利用した血流制御装置。
【請求項９】
それぞれの前記磁場発生部材のＮ極が血流の心臓部側の方向で生体の血流に対向して配され、それぞれの前記磁場発生部材のＳ極が心臓の反対方向で生体の血流に対向するように配されるべく構成されることを特徴とする請求項８に記載の血流制御装置。
【請求項１０】
前記磁場発生手段がバンド状の帯より構成された１対の磁場発生装部を含み、心臓に近く隣接した磁場発生部のＮ極が血流の心臓に近い部分の血流部分に位置し、心臓から遠い部分に位置した磁場発生部のＳ極が血流の心臓から遠い部分に位置することを特徴とする請求項１に記載の磁場を利用した血流制御装置。
【請求項１１】
前記バンド状の帯よりなる１対の磁場発生部は、生体を取り囲むことを特徴とする請求項１０に記載の血流制御装置。
【請求項１２】
生体の血管に磁場を発生させる段階と、
前記磁場の方向を前記血液の流動方向と一致するように制御する段階と、を含むことを特徴とする磁場を利用した血流制御方法。
【請求項１３】
前記磁場が２０００乃至３０００ガウスの範囲内であることを特徴とする請求項１２に記載の磁場を利用した血流制御方法。
【請求項１４】
前記血流の方向は心臓からの動脈の血流方向であることを特徴とする請求項１２に記載の血流制御方法。
【発明の詳細な説明】
【技術分野】
【０００１】
本発明は磁場を利用して血流を制御するための装置及び方法に係り、より詳細には、両極性の磁極を利用して血液の流れを促進させうる磁場を利用した血流制御装置及びその方法に関する。
【背景技術】
【０００２】
一般的に、血流とは、身体内部の血の流れとして理解でき、健康状態と直接的、間接的な関係がある。このような血流が胃腸で障害を起せば、胃腸病が生じ、脚の血管が詰まれば、脚が痛く、膝の血管が詰まれば、関節炎が生じ、心臓の血管が詰まれば、心臓病が生じる。頭の血管が詰まれば、頭痛が生じるか、脳機能が低下し、ひどい場合には、血流障害による脳梗塞、脳卒中、脳出血などが発生し、肺の血管が詰まれば、肺病が生じるように、身体の如何なる部位でも血管が詰まれば、酸素及び栄養分が供給されず、新陳代謝の結果物である老廃物が除去されず、痛みを感じるようになり、疾病を被るのである。
【０００３】
このような多様な類型の血流障害が生体で発生した場合、血流を改善するために体を暖めて血流を改善するか、筋肉の柔軟性を改善するためにストレッチを行うか、運動を行うか、薬剤組成物よりなる血流改善剤を服用するか、指圧をして体中の廃棄物を他の所に流すか、膿（白血球の死骸）または赤血球の死骸を抜き取って血流を改善した。
【０００４】
最近では磁場を利用して血流を改善することによって痛みまたは疾患の治療を試みる研究が活発に進められているのが実情であり、このような試みは相当な効果があることは周知の事実として受入れられている。
【０００５】
このような試みの１つとして、特許文献１（“ＴＲＥＡＴＭＥＮＴ ＯＦ ＡＩＬＭＥＮＴＳ，ＡＦＦＬＥＣＴＩＯＮＳ ＡＮＤ ＤＩＳＥＡＳＥＳ”、１９９６年６月２５日付けで特許許与）、特許文献２（“ＭＡＧＮＥＴＩＣ ＭＥＤＩＣＡＬ ＴＲＥＡＴＭＥＮＴ ＤＥＶＩＣＥ”、１９９８年７月２１日付けで特許許与）及び特許文献３（“ＭＡＧＮＥＴＩＣ ＴＲＥＡＴＭＥＮＴ ＣＬＯＴＨＩＮＧ”、１９９９年９月１４日付けで特許許与）では単極磁石を体に貼り付けて単極磁場を形成し、これを利用して生体の疾病または炎症を治療する方法を開示している。
【０００６】
一方、特許文献４（“ＳＹＳＴＥＭ ＡＮＤ ＭＥＴＨＯＤ ＦＯＲ ＨＡＩＲ ＬＯＳＳ ＲＥＤＵＣＴＩＯＮ ＡＮＤ ＲＥ−ＧＲＯＷＴＨ”、２００１年７月３１日付けで特許許与）及び特許文献５（“ＲＥＶＥＲＳＩＢＬＥ ＭＡＧＮＥＴＩＣ ＴＨＥＲＡＰＥＵＴＩＣ ＤＥＶＩＣＥ ＡＮＤ ＭＥＴＨＯＤ ＯＦ ＵＳＥ”、１９８６年５月１３日付けで特許許与）ではＮ極とＳ極とをそれぞれ体に貼り付けて初期痛みにはＮ極面を当て、後期痛みには反対側のＳ極面を痛み部位に貼り付けて治療する内容を開示している。
【０００７】
しかし、このような両極磁石を使用した従来技術でも相変わらず血流の方向とは無関係に単に単極で皮膚を刺激するのに焦点をおいている。
【０００８】
また、その他の多様な特許及び研究で磁場を利用して小児麻痺のような人間の疾病及び痛みの治療に効果があったという研究結果も発表された。
【０００９】
しかし、このような研究結果によって、磁場は血流改善及び痛み治療に客観的な効果があることは分かるが、相変わらず血流の方向とは全く関係なく磁場を印加しており、その効果も実験的に明らかになっていないので、その効能の信頼性が低いという問題点がある。
【特許文献１】米国特許第５,５２９,５６９号明細書
【特許文献２】米国特許第５,７８２,７４３号明細書
【特許文献３】米国特許第５,９５０,２３９号明細書
【特許文献４】米国特許第６,２６７,７２０号明細書
【特許文献５】米国特許第４,５８７,９５６号明細書
【発明の開示】
【発明が解決しようとする課題】
【００１０】
前記問題点を解決するための本発明の目的は、正極性の磁場を利用して血液の流れを促進させうる血流制御装置を提供するところにある。
【００１１】
前記問題点を解決するための本発明の他の目的は、正極性の磁場を利用して血液の流れを促進させうる血流制御方法を提供するところにある。
【課題を解決するための手段】
【００１２】
前記目的を解決するための本発明の望ましい実施形態による磁場を利用した血流制御装置は、血液が流れうる血管を有する生体の血流を制御するためのものであって、血液が流れる方向とベクトル的に磁場の方向が一致するように磁場を発生させる磁場発生手段と、磁場発生手段を生体に固定させるための固定手段と、を含むことを特徴とする。
【００１３】
本発明の望ましい他の実施形態によれば、磁場を利用した血流制御方法は生体の血管に磁場を発生させる段階と、磁場の方向を血液の流動方向と一致するように制御する段階と、を含む。
【発明の効果】
【００１４】
本発明を利用して生体のあらゆる部位の動脈または静脈系統に異常のある人に血液が流れる方向と一致するような方向に磁場を印加することによって、血液の流れを円滑にし、結果的に個人の健康を増進させる。
【発明を実施するための最良の形態】
【００１５】
以下、図面を参照しながら本発明の望ましい実施形態による磁場を利用した血流制御装置及びその方法を詳細に説明する。
【００１６】
図１は、本発明の望ましい実施形態による磁場を利用した血流制御装置１００を人間の脚１４０に適用した様子を示す図面であり、図２は、本発明の望ましい実施形態による磁場を利用した血流制御装置１００を生体、例えば人間の腕１５０に適用した様子を示す図面である。
【００１７】
この本発明の望ましい実施形態では磁場を利用した血流制御装置１００を人間の脚１４０及び腕１５０に適用した様子のみを示して説明しているが、血管を有している人間の身体の他の部位にも適用できることは言うまでもなく、血管を有している犬、豚、牛などの他の種類の動物に対しても本発明の思想は適用できる。
【００１８】
また、本発明は磁場の方向と強度、そして電磁石の電極大きさなどを任意に調整することによって身体の如何なる部位での血流改善にも使用可能である。例えば、局部的な動脈硬化または局部的な糖尿性血管障害、静脈の閉塞による静脈瘤などの局部的な部位の血流改善のためにも使用できるだけでなく、全身に適用することによって血管系全体の循環改善に役に立ちうる。
【００１９】
図３Ａ及び図３Ｂは、図１及び図２に示した磁場を利用した血流制御装置を説明するための斜視図である。
【００２０】
図３Ａは、本発明による実施形態であって、磁場を利用した血流制御装置を説明するための斜視図である。
【００２１】
まず、図３Ａに示したように、本発明の望ましい実施形態による磁場を利用した血流制御装置１００は固定本体１０１、例えば接着布、ボタン、接着テープのように接着可能な部分を具備する複数の第１固定部材１０２、複数の第１固定部材に具備された部分に対応して結合を行える複数の第２固定部材１０４、固定本体１０１に装着され、Ｎ極が生体の血管側に対向配置されて磁場を発生するように構成された第１磁場発生部材１０６及び固定本体１０１に装着され、Ｓ極が生体の血管側に対向配置されて磁場を発生するように構成された第２磁場発生部材１０８を含む。
【００２２】
本発明の第１及び第２磁場発生部材１０６、１０８は広い表面積を有し、長さ方向の長さは、例えば手首に適用するためには手首を取り囲むのに十分な長さに形成し、脹脛に適用するためにはこれを取り囲むのに十分に構成することが望ましい。
【００２３】
また、本発明の望ましい実施形態によれば、磁場の方向を血流の方向と一致させるために、一体型の第１及び第２磁場発生部材１０６、１０８の長さ方向が血流の方向に対して直角をなすように形成することが望ましい。このように第１及び第２磁場発生部材１０６、１０８を構成すれば、第１磁場発生部材１０６から発生した磁場が第２磁場発生部材１０８に向かって流れ、これによって磁場の方向は血流の方向と一致する。
【００２４】
この本発明の望ましい実施形態では、第１及び第２磁場発生部材１０６、１０８を固定するための方法として帯封状のものを利用した方式を採択して説明したが、本発明の思想を自動車の運転席またはソファのアームレストに適用できる点にも注目せねばならない。
【００２５】
本発明で磁場の方向と一致させる血流の方向とは、動脈の血流方向であることが望ましく、この時の血流の方向とは、心臓から手や足のような生体の末端部に向かう血液の流れの方向と定義される。
【００２６】
図３Ｂは、本発明の他の実施形態としての磁場を利用した血流制御装置を説明するための斜視図である。
【００２７】
前記図３Ａに示した実施形態とは異なり、図３Ｂに示した本発明の望ましい実施形態は、バンド状の帯で構成された１対の磁場発生手段３０２、３０４を含む。
【００２８】
その結果、図３Ｂに示した本発明の望ましい実施形態も、前記図３Ａに示した実施形態のように、生体における血流の方向と同じ方向に磁場を印加できる。
【００２９】
図４は、本発明の望ましい実施形態による磁場を利用した血流制御装置から発生される磁場の方向と血流の方向とを一致させた様子を概念的に簡略に説明するために示した断面図である。
【００３０】
また、図５は、図４に示した磁場発生部材から発生する磁場の方向をさらに詳細に説明するための概念的な図面である。
【００３１】
本発明の望ましい実施形態によれば、血液の流れ１２０を改善しようとする生体の動脈を選択した後、その流れ方向と同一に、磁場を利用した血流制御装置１００の固定本体１０１に装着された第１及び第２磁場発生部材１０６、１０８から発生する磁場のＮ極とＳ極とを位置させて、磁場の方向１１８と血液の流れ方向１２０とを一致させればよい。
【００３２】
本発明の望ましい実施形態によれば、図３ないし図５に示したように、磁場発生部材を永久磁石を使用して構成したものを示しているが、磁場の方向と血流の方向１２０とを一致させて血液の流れが改善できるならば、磁場の強度及び方向をユーザーが任意に、かつ簡便に調整できるように、永久磁石と全く同じ効果が得られる電磁石の形態に製作して、ユーザーが任意に本人に適合した磁場の強度と磁場の印加方向とを設定しても構わない。
【００３３】
以下、本発明の実施形態による磁場を利用した血流制御装置及びその方法の動作原理を説明する。
【００３４】
本発明の望ましい実施形態は、血流の方向１２０に磁場１１８の方向を一致させて磁場を印加すれば、血液の流れが改善されるという原理に基づいている。
【００３５】
具体的には、血流は、心臓の電気的作用により三頭筋が心臓内の血液を圧縮及び収縮させることによって生成する。したがって、心臓から迫出された血液は動脈を通って生体各臓器及び四肢に流れ、動脈の末端で毛細血管に入って新陳代謝のための酸素、蛋白質及びその他の栄養素などの基本的な新陳代謝に必要な栄養分を提供する。
【００３６】
毛細血管で代謝を経て生成された代謝物質である老廃物は、静脈に乗って心臓へ戻る。このような循環運動が、生きている間は、持続的に繰り返される。
【００３７】
静脈の場合は、動脈とは違って、心臓の運動により生成した血圧により血液が押されていくというよりは、静脈を取り囲んでいる血管筋肉の収縮作用により血液が移動する。このような動脈及び静脈の血液の流れが円滑でなければ、各種合併症が発生しやすい。
【００３８】
図６は、本発明による磁場を利用した血流制御装置の血流改善効果を説明するために、３０人の被実験者に対して本物及びにせ物の磁石を利用して実験した結果を示すグラフである。
【００３９】
図６で、Ｘ軸（横軸）は、被実験者の数を示し、Ｙ軸（縦軸）は、本物の磁石及びにせ物の磁石の適用後の血流量から適用前の血流量を減算した値を示す。磁石適用前後の値が同一である場合には、Ｙ軸の値は‘０’になる。そして、Ｘ軸の１番目の被実験者から３０番目の被実験者まで順に差を累積して合算した値を示した。
【００４０】
図６に示したように、本発明の望ましい実施形態による実験結果は、３０名の被実験者に対して同じ条件で、それぞれ本物の磁石及びにせ物の磁石の適用をランダムにした後、左右の腕を刺激した後の血流量から刺激前の血流量を減算した値の変化推移を示したものである。ここで、同じ条件とは、約２０分間の刺激に、約２,０００ないし約３,０００ガウスで、直径が約１.５ｃｍであり、長さが約１.５ｃｍである磁石を利用して実験した条件を意味する。
【００４１】
一般に、安定状態に入ると、血流量は徐々に一定値まで減少するのが正常な状態である。しかし、図６に示したように、本物の磁石の場合、適用前後の３０名の被実験者の血流量の差をだんだんと累積して合算した結果、血流量の差が増加する傾向、すなわち磁石適用後、磁石の影響で血流量が増加することが分かる。一方、にせ物の磁石の場合、血流に何の影響も及ぼさないので、血流量が自然に減少することが確認できた。したがって、本物の磁石は、全体的に血流量を増加させ、にせ物の磁石は、相対的に血流量を減少させることが分かる。
【００４２】
このような事実を証明するために、本発明では、磁性のある本物の磁石と、本物の磁石と形は同一であるが磁性のないにせ物の磁石とを利用して、血流の方向に磁場を印加した後、血流の変化を測定した。その結果、本物の磁石と、にせ物の磁石との間に、差がつくことを統計的に確認でき、有意性が確認できた。すなわち、本物の磁石を適用した時には、にせ物の磁石の時とは違って、血流量が増加する場合が多いことが分かった。
【００４３】
前記のように構成された本発明の実施形態による磁場を利用した血流制御装置及びその方法は、従来の磁場治療方法とは異なり、血流の方向に磁場をベクトル的に印加することによって血液の流れを改善できる。
【００４４】
また、従来の血流改善方法は、薬物を利用するか、機械的な方法で刺激して血流を改善しようとしたが、このような方法は生体に有、無形に人為的な刺激を与えるので、その副作用が全くないとは言えない。一方、本発明は、生活の中で常時接する、例えば２,０００ガウスないし３,０００ガウスの磁場の強度の範囲内にある磁場を使用するので、ユーザーに対する人為的な有害性なしに、単に磁場の方向性だけを利用して血液の流れを改善させうる。
【００４５】
このような効果は、プラシーボ効果を考慮した実験を通じて確認できた。すなわち、前述したように、本物の磁石及びにせ物の磁石の効果を実験した結果、本物の磁石がにせ物の磁石よりも血流を増加させることが確認できた。
【００４６】
本発明を図面に示した実施形態を参考にして説明してきたが、これは例示的なものに過ぎず、当業者であれば、これより多様な変形及び均等な他の実施形態が可能であることは理解できるであろう。したがって、本発明の真の技術的保護範囲は詳細な説明の範囲内で定められるものではなく、特許請求の範囲で定められなければならない。
【産業上の利用可能性】
【００４７】
本発明は磁場を利用して血流を制御するための装置及び方法に関わり、人間のような生命体の疾病を治療するか、健康を増進するのに利用可能である。
【図面の簡単な説明】
【００４８】
【図１】本発明による磁場を利用した血流制御装置を人間の脚に適用した様子を示す図面である。
【図２】本発明による磁場を利用した血流制御装置を人間の腕に適用した様子を示す図面である。
【図３Ａ】本発明の望ましい実施形態であって、磁場を利用した血流制御装置を説明するための斜視図である。
【図３Ｂ】本発明の他の望ましい実施形態であって、磁場を利用した血流制御装置を説明するための斜視図である。
【図４】本発明の望ましい実施形態による磁場を利用した血流制御装置から発生される磁場の方向と血流の方向とを一致させた様子を説明するために示した断面図である。
【図５】図４に示した磁場発生部材から発生する磁場の方向を説明するための図面である。
【図６】本発明による磁場を利用した血流制御装置の血流改善効果を説明するために３０人の被実験者に対して本物及びにせ物の磁石を利用して実験した結果を示すグラフである。
【符号の説明】
【００４９】
１０１    固定本体
１０６    第１磁場発生部材
１０８    第２磁場発生部材
１２０    血液の流れ
１４０    人間の脚
【図１】
2005144189.tif 000003
【図２】
2005144189.tif 000004
【図３Ａ】
2005144189.tif 000005
【図３Ｂ】
2005144189.tif 000006
【図４】
2005144189.tif 000007
【図５】
2005144189.tif 000008
【図６】
2005144189.tif 000009